(57)【要約】  ＲＳＳフィード基盤のＥＰＧ処理システムは、複数のユーザデバイスと、インターネットを介して放送チャンネルのＥＰＧ情報を提供する複数の放送番組サーバと、ユーザの要求を前記ユーザデバイスから受けて前記ユーザの要求に応じたユーザ固有のＥＰＧ情報を前記ユーザデバイスに提供するＥＰＧ処理サーバとを含む。ＥＰＧ処理システムにおいて、インターネットを介して放送番組サーバと連動するための複数の第１のＲＳＳフィードがＥＰＧ処理サーバに登録されている。ＥＰＧ処理サーバは、それぞれの第１のＲＳＳフィードを用いてそれぞれのチャンネルのＥＰＧ情報を獲得して格納し、ユーザの要求に応じて格納されたＥＰＧ情報を検索してユーザの要求に対応するユーザ固有のＥＰＧ情報を生成し、ユーザ固有のＥＰＧ情報をユーザデバイスに提供する。
2010512095.tif 000002
【特許請求の範囲】
【請求項１】
ＲＳＳフィード基盤のＥＰＧ処理システムであって、
複数のユーザデバイスと、
インターネットを介して放送チャンネルのＥＰＧ情報を提供する複数の放送番組サーバと、
ユーザの要求を前記ユーザデバイスから受信して前記ユーザの要求に応じたユーザ固有のＥＰＧ情報を前記ユーザデバイスに提供するＥＰＧ処理サーバとを含み、
前記ＥＰＧ処理サーバには、前記インターネットを介して前記放送番組サーバと連動するための複数の第１のＲＳＳフィードが登録されており、
前記ＥＰＧ処理サーバは、前記それぞれの第１のＲＳＳフィードを用いて前記それぞれの放送チャンネルのＥＰＧ情報を獲得して格納し、前記ユーザの要求に応じて格納された前記ＥＰＧ情報を検索してユーザの要求に対応する前記ユーザ固有のＥＰＧ情報を生成し、前記ユーザ固有のＥＰＧ情報を前記ユーザデバイスに提供する
ことを特徴とするＲＳＳフィード基盤のＥＰＧ処理システム。
【請求項２】
前記ＥＰＧ処理サーバには、前記ＥＰＧ情報内の放送番組と関連するコンテンツ情報に対する複数の第２のＲＳＳフィードが登録されていることを特徴とする請求項１に記載のＲＳＳフィード基盤のＥＰＧ処理システム。
【請求項３】
前記関連コンテンツ情報は、前記第２のＲＳＳフィードを用いて更新されることを特徴とする請求項２に記載のＲＳＳフィード基盤のＥＰＧ処理システム。
【請求項４】
前記第１のＲＳＳフィードは、前記放送チャンネルと１対１の対応で登録されていることを特徴とする請求項１に記載のＲＳＳフィード基盤のＥＰＧ処理システム。
【請求項５】
前記格納されたＥＰＧ情報は、第１のＲＳＳフィードを用いて前記放送番組サーバによって更新されることを特徴とする請求項１に記載のＲＳＳフィード基盤のＥＰＧ処理システム。
【請求項６】
前記ＥＰＧ処理サーバは、
前記ＥＰＧ情報を格納するデータ格納手段と、
ユーザデバイスに関するデバイスプロファイルの情報を格納するデバイスプロファイルＤＢと、
前記ユーザデバイスのプロファイル情報を前記デバイスプロファイルＤＢから取り出し、入力ＥＰＧ情報を前記ユーザデバイスのデバイスプロファイルに従って変換し、変換された入力ＥＰＧ情報をユーザ固有のＥＰＧ情報としてユーザデバイスに提供するデバイスＵＩ（user interface）処理器と、
前記ユーザデバイスから前記ユーザ固有のＥＰＧ情報に対応する選択情報の提供を受け、この選択情報に対応するＥＰＧ情報を前記データ格納手段内で検索し、前記検索されたＥＰＧ情報を前記デバイスＵＩ処理器に入力ＥＰＧ情報として提供するＲＳＳ基盤主処理器と
を含むことを特徴とする請求項１に記載のＲＳＳフィード基盤のＥＰＧ処理システム。
【請求項７】
インターネットを介して多数の放送番組サーバから提供される放送チャンネルのＥＰＧ情報を用いてユーザの要求に応じたユーザ固有のＥＰＧ情報を生成してユーザデバイスに提供するＥＰＧ処理サーバのＲＳＳフィード基盤のＥＰＧ処理方法であって、
放送チャンネル別に第１のＲＳＳフィードをそれぞれ登録する段階と、
前記第１のＲＳＳフィードを通じて前記ＥＰＧ情報を獲得して格納する段階と、
ユーザデバイスから前記ユーザ固有のＥＰＧ情報に対応する選択情報を受信した場合に、前記選択情報に基づいて格納されたＥＰＧ情報を検索する段階と、
前記ユーザ固有のＥＰＧ情報を生成して前記ユーザデバイスに提供する段階と
を含むことを特徴とするＲＳＳ基盤のＥＰＧ処理方法。
【請求項８】
前記ＥＰＧ情報を獲得して格納する段階は、
前記第１のＲＳＳフィードを介して前記放送チャンネルから提供される番組基本情報を受信する段階と、
前記番組基本情報とリンクされている番組詳細情報を受信する段階と、
前記番組基本情報及び番組詳細情報をＥＰＧ情報として格納する段階と
を含むことを特徴とする請求項７に記載のＲＳＳ基盤のＥＰＧ処理方法。
【請求項９】
放送番組と関連するコンテンツ情報に対する複数の第２のＲＳＳフィードを登録する段階と、
前記第２のＲＳＳフィードを通じて前記コンテンツ情報を受信する段階と、
コンテンツ情報を対応するＥＰＧ情報とリンクさせて、このコンテンツ情報を格納する段階と
を更に含むことを特徴とする請求項７に記載のＲＳＳ基盤のＥＰＧ処理方法。
【請求項１０】
前記ユーザ固有のＥＰＧ情報を生成して前記ユーザデバイスに提供する段階は、
前記ユーザ固有のＥＰＧ情報を前記ユーザデバイスのプロファイル情報に基づいて変換し、変換したユーザ固有のＥＰＧ情報をユーザデバイスに提供することを含む
ことを特徴とする請求項７に記載のＲＳＳ基盤のＥＰＧ処理方法。
【発明の詳細な説明】
【技術分野】
【０００１】
本発明は、ＩＰＴＶサービス環境において放送番組のＥＰＧ（Ｅｌｅｃｔｒｏｎｉｃ Ｐｒｏｇｒａｍ Ｇｕｉｄｅ）をＲＳＳ（Ｒｅａｌｌｙ Ｓｉｍｐｌｅ Ｓｙｎｄｉｃａｔｉｏｎ）フィード基盤で効果的に処理するためのシステム及び方法に関する。
【背景技術】
【０００２】
ＩＰＴＶサービスは、インターネットを介してテレビ番組を放送すると共に、既存のインターネットサービスと連動してより便利なサービスを提供する。
【０００３】
このようなＩＰＴＶサービスでは、他のサービス環境に比べて放送チャンネルの数が幾何級数的に増加される特性がある。そのため、ユーザが容易に自身が所望する放送番組を探し出し、自身が所望する形態で放送番組を再構成できるサービスが提供される必要がある。
【０００４】
デジタル時代が加速するにつれ、一人のユーザがより多数の電子機器を使用するようになっている。さらに、技術の発展に伴い、電子機器はインターネット接続が可能なデバイスに進化している。従って、ＩＰＴＶサービスが、インターネット接続が可能な多様な機器を通じて提供される場合、ユーザが一度設定したＥＰＧサービスを通じたＴＶインターフェースは、インターネット接続が可能な他の機器とも統一的に提供される必要がある。
【０００５】
そして、放送番組のＥＰＧ情報が、ＤＭＢ（Ｄｉｇｉｔａｌ Ｍｕｌｔｉｍｅｄｉａ Ｂｒｏａｄｃａｓｔｉｎｇ）サービス環境などの放送コンテンツデータと共に伝達される環境下では、地上波テレビ環境やケーブルテレビ環境のような既存の放送サービス環境と同様に、機器がインターネット接続が可能な場合には、既存のインターネットサービスと連動して、より便利なサービスをユーザに提供する方法が必要である。
【発明の概要】
【発明が解決しようとする課題】
【０００６】
上記事情に鑑み、本発明は、ＲＳＳフィード基盤のＥＰＧ処理システム及び方法を提供する。このシステム及び方法は、ＩＰＴＶ環境において、ユーザの要求に応じた放送番組のＥＰＧ情報及び各放送番組と関連したコンテンツ情報を再構成してユーザ固有のＥＰＧを生成し、これをユーザに提供することで、より便利なサービス環境をユーザに提供することが可能である。
【課題を解決するための手段】
【０００７】
本発明の一の観点によれば、複数のユーザデバイスと、インターネットを介して放送チャンネルのＥＰＧ情報を提供する複数の放送番組サーバと、ユーザの要求をユーザデバイスから受信し、前記ユーザの要求に応じたユーザ固有のＥＰＧ情報を前記ユーザデバイスに提供するＥＰＧ処理サーバとを含み、前記ＥＰＧ処理サーバには、インターネットを介して前記放送番組サーバと連動するための複数の第１のＲＳＳフィードが登録されており、前記ＥＰＧ処理サーバは、前記それぞれの第１のＲＳＳフィードを用いて前記それぞれの放送チャンネルのＥＰＧ情報を取得して格納し、前記ユーザの要求に応じて格納された前記ＥＰＧ情報を検索してユーザの要求に対応する前記ユーザ固有のＥＰＧ情報を生成し、このユーザ固有のＥＰＧ情報を前記ユーザデバイスに提供することを特徴とするＲＳＳフィード基盤のＥＰＧ処理システムが提供される。
【０００８】
本発明の他の観点によれば、インターネットを介して多数の放送番組サーバから提供される放送チャンネルのＥＰＧ情報を用いてユーザの要求に応じたユーザ固有のＥＰＧ情報を生成してユーザデバイスに提供するＥＰＧ処理サーバのＲＳＳフィード基盤のＥＰＧ処理方法であって、放送チャンネル別に第１のＲＳＳフィードを登録する段階と、前記第１のＲＳＳフィードを用いて前記ＥＰＧ情報を取得して格納する段階と、ユーザデバイスから前記ユーザ固有のＥＰＧ情報に対応する選択情報を受信した時、前記格納されたＥＰＧ情報を前記選択情報に基づいて検索する段階と、前記ユーザ固有のＥＰＧ情報を生成して前記ユーザデバイスに提供する段階とを含むＲＳＳ基盤のＥＰＧ処理方法が提供される。
【発明の効果】
【０００９】
本発明によれば、ＲＳＳフィードを用いて放送番組のＥＰＧ情報及び各放送番組に関連したコンテンツ情報を獲得し、デバイスプロファイルに従ってユーザ固有のＥＰＧ情報を変換する。そして、このユーザ固有のＥＰＧ情報をユーザに提供する。ＲＳＳフィードを用いて情報を獲得することで、情報の分類及び処理が容易にでき、ユーザにより便利な使用環境を提供することができる。
【００１０】
また、ユーザは放送番組と関連した多様な掲示板を容易に検索でき、これらの掲示板を通じてリアルタイムで互いに意見交換を行うこともできる。さらに、ユーザは、リアルタイムな意見交換を通じて販売事業者と公開入札のような契約を結ぶことができる。
【００１１】
更に、放送番組と関連したインターネットサービス同士の連動に基づくＲＳＳ標準技術を通じて自然な双方向サービスを提供できる。
【００１２】
上記した本発明の特徴は、添付した図面との関連で与えられる後述の実施形態の説明から明らかになるだろう。
【図面の簡単な説明】
【００１３】
【図１】本発明の実施形態によってＩＰＴＶ環境においてＲＳＳフィード基盤でＥＰＧ処理を行うＲＳＳフィード基盤のＥＰＧ処理システムの全般的な構成図である。
【図２】本発明の実施形態によってＥＰＧ処理サーバにおいてＲＳＳフィードを用いて放送番組のＥＰＧ情報及び関連コンテンツ情報を獲得してユーザ固有のＥＰＧ情報を生成する過程を示すフローチャートである。
【図３】本発明の実施形態によってＥＰＧ処理サーバがユーザデバイスのプロファイルに従ってユーザ固有のＥＰＧ情報を生成及び提供する過程を示すフローチャートである。
【発明を実施するための形態】
【００１４】
以下、添付の図面を参照して本発明の実施形態について詳細に説明する。
【００１５】
図１は、本発明の実施形態によってＩＰＴＶ環境においてＲＳＳフィード基盤でＥＰＧ処理を行うＲＳＳフィード基盤のＥＰＧ処理システムの全般的な構成図である。
【００１６】
図１を参照すれば、ＲＳＳ基盤のＥＰＧ処理サーバ（以下、「ＥＰＧ処理サーバ」という）１００は、インターネット１１０上に存在する多様な放送番組サーバ１１２によって提供されるＥＰＧ情報に基づいてユーザの要求に合うように再構成されたＥＰＧ情報（以下、「ユーザ固有のＥＰＧ情報」という）を生成し、このユーザ固有のＥＰＧ情報をユーザデバイス１２０のプロファイルに従って変換し、変換されたユーザ固有のＥＰＧ情報を対応するユーザデバイス１２０に提供する。従って、ユーザは携帯電話、ＰＤＡ、テレビなど多様なユーザデバイス１２０を使用している場合でも、一貫性のあるサービスの提供を受けることができる。
【００１７】
インターネット１１０上には、多様な放送番組サーバ１１２によって提供されるＥＰＧ情報と同様に、多様なコンテンツサーバ１１４によって提供され、放送番組と関連したコンテンツ情報が存在する。ＥＰＧ情報と関連コンテンツ情報との統合はＲＳＳ文書であるＲＳＳフィードを使用することで行われる。即ち、コンテンツサービス事業者は、放送番組に関連したコンテンツ情報をＥＰＧ処理サーバ１００に登録し、必要な時にＲＳＳフィードを随時アップデートする。例えば、インターネットショッピングモールを運営するコンテンツサービス事業者が特定の放送番組に登場した服を販売すると、事業者はインターネット１１０を介してＥＰＧ処理サーバ１００に接続して自身のインターネットショッピングモール及び販売商品（即ち、関連コンテンツ情報）に対するＲＳＳフィードを生成し、ＥＰＧ処理サーバ１００に登録する。
【００１８】
ユーザデバイス１２０は、ネットワークを介してＥＰＧ処理サーバ１００に接続して自身が所望する放送番組のＥＰＧ情報及び関連コンテンツ情報を含むユーザ固有のＥＰＧ情報の提供を受けることができる。
【００１９】
ユーザ固有のＥＰＧ情報の構成は、ＥＰＧ処理サーバ１００でＲＳＳフィードを用いてもたらされる。ここで、ＲＳＳは、ＸＭＬ基盤のフィードを登録又は設定し、及び登録された又は設定されたＲＳＳフィードを通じて変更され又は追加される情報を持続的に提供するための標準である。
【００２０】
ＥＰＧ処理サーバ１００は、ＥＰＧ主処理器１０２、データ格納手段１０４、デバイスＵＩ処理器１０６及びデバイスプロファイルＤＢ１０８を含む。
【００２１】
ＥＰＧ主処理器１０２には、インターネット１１０を介して放送番組サーバ１１２と連動するためのＲＳＳフィード（以下、「放送番組ＲＳＳフィード」という）が設定及び登録されている。ＥＰＧ主処理器１０２は、放送番組ＲＳＳフィードを用いてインターネット１１０を介して各放送番組のＥＰＧ情報の提供を受け、このＥＰＧ情報をデータ格納手段１０４に格納する。
【００２２】
また、ＥＰＧ主処理器１０２には、放送番組と関連したコンテンツサービスと連動するためのＲＳＳフィード（以下、「関連コンテンツＲＳＳフィード」という）が登録及び設定されている。ＥＰＧ主処理器１０２は、関連コンテンツＲＳＳフィードを用いてインターネット１１０を介して関連コンテンツ情報の提供を受け、データ格納手段１０４に格納された放送番組に対応するＥＰＧ情報の関連コンテンツにリンクする。ここで、関連コンテンツ情報は、各放送番組と関連した多様なサービス情報、例えば、製品情報やコミュニティ情報などである。
【００２３】
従って、データ格納手段１０４には、各放送番組のＥＰＧ情報だけでなく、放送番組に関連したコンテンツ情報が格納されている。ここで、放送番組ＲＳＳフィードは、放送チャンネルと１対１で対応し、インターネットを介してＥＰＧ処理サーバ１００に接続する情報を提供する側、例えば、放送番組サーバ１１２によって登録され得る。あるいは、ＥＰＧ処理サーバ１００のＥＰＧ主処理器１０２自身が放送番組ＲＳＳフィードを生成することもできる。
【００２４】
ＥＰＧ主処理器１０２は、ネットワークを介してユーザから受信した選択情報に該当するＥＰＧ情報及び関連コンテンツ情報をデータ格納手段１０４から検索し、それらの情報をデバイスＵＩ処理器１０６に伝送する。デバイスＵＩ処理器１０６は、ＥＰＧ情報及び関連コンテンツ情報を変換してユーザデバイス１２０のプロファイルに従ったユーザ固有のＥＰＧ情報を生成した後、このユーザ固有のＥＰＧ情報をユーザデバイス１２０に提供する。ＥＰＧ主処理器１０２は、放送番組ＲＳＳフィードを用いて各放送チャンネルの放送番組情報であるＥＰＧ情報を獲得し及び分析する獲得／分析器、ＥＰＧ情報を管理及び検索するＲＳＳ基盤情報処理器、及びＲＳＳ基盤ＥＰＧを多様な形態で表現し、表示し、及び組み合わせるＲＳＳ基盤ＥＰＧ組み合わせ処理器を含むことができる。
【００２５】
また、ＥＰＧ主処理器１０２には、ユーザのＥＰＧ情報の要求に対応する選択情報が提供される。選択情報の例としては、放送番組選択情報やジャンル選択情報などである。ＥＰＧ主処理器１０２は、選択情報に対応するＥＰＧ情報をデータ格納手段１０４で検索し、検索されたＥＰＧ情報を関連コンテンツ情報と共にデバイスＵＩ処理器１０６に伝送する。
【００２６】
デバイスプロファイルＤＢ１０８には、ユーザデバイス１２０のデバイスプロファイル情報が格納されている。デバイスプロファイル情報には、ユーザデバイス１２０のハードウェア及びソフトウェア環境に関する情報が含まれる。
【００２７】
デバイスＵＩ処理器１０６は、ネットワークを介してＥＰＧ処理サーバ１００に接続してユーザデバイス１２０のデバイスプロファイル情報をデバイスプロファイルＤＢ１０８で検索し、このデバイスプロファイル情報に基づいて、ＥＰＧ主処理器１０２から受信したＥＰＧ情報及び関連コンテンツ情報を変換してユーザ固有のＥＰＧ情報を生成する。そして、デバイスＵＩ処理器１０６は、ユーザ固有のＥＰＧ情報をユーザデバイス１２０に提供する。
【００２８】
放送番組のユーザＥＰＧ情報及び関連コンテンツ情報は、ユーザ固有のＥＰＧ情報に含まれるが、放送番組ＲＳＳフィード及び関連コンテンツＲＳＳフィードを用いてそれぞれ更新される。すなわち、データ格納手段１０４に格納されたＥＰＧ情報及び関連コンテンツ情報は、ＥＰＧ処理サーバ１００が放送番組ＲＳＳフィード及び関連コンテンツＲＳＳフィードを介してＥＰＧ情報及び関連コンテンツ情報を受信したときに、それぞれ更新される。ユーザデバイス１２０が、更新されたＥＰＧ情報を用いて生成されたユーザ固有のＥＰＧ情報を受信することで、ユーザデバイス１２０に更新された情報が提供され得る。
【００２９】
上述した構成を有するＥＰＧ処理サーバ１００がＲＳＳフィードを用いてＥＰＧ情報を獲得し、関連するインターネットサービスと連動する過程について、図２を参照して説明する。
【００３０】
図２は、本発明の実施形態によってＥＰＧ処理サーバでＲＳＳフィードを用いて放送番組のＥＰＧ情報及び関連コンテンツ情報を獲得してユーザＥＰＧ情報を生成する過程を示すフローチャートである。
【００３１】
ＲＳＳフィードを用いて、放送番組サーバ１１２などの放送番組ＥＰＧを生成する側からＥＰＧ情報を受信するために、ＥＰＧ処理サーバ１００は、放送番組サーバ１１２（即ち、放送チャンネル）別にＲＳＳフィードを有している必要がある。そのようなＲＳＳフィード（以下、「放送番組ＲＳＳフィード」という）は、放送番組を提供する側、例えば、放送番組サーバ１１２によってＥＰＧ処理サーバ１００に登録されてもよいし、又はＥＰＧ処理サーバ１００自身がＲＳＳフィードを生成してもよい（Ｓ２００）。
【００３２】
上記したように、生成され又は登録された放送番組ＲＳＳフィードを用いることで、ＥＰＧ処理サーバ１００は各放送番組の基本情報を獲得する（Ｓ２０２）。ここで、番組基本情報はＲＳＳ標準に従った放送番組ＲＳＳフィードを介して獲得される。
【００３３】
その後、ＥＰＧ処理サーバ１００は、各放送番組に関する番組詳細情報を獲得する（Ｓ２０４）。即ち、段階Ｓ２０４は、番組基本情報とリンクされている放送番組に関する更に詳細な情報を獲得する段階である。特に、段階Ｓ２０４では、ユーザの要求に応じたユーザ固有のＥＰＧ情報を生成するために必要な多様な形態の情報を獲得する必要がある。このような必要な情報は、実際の実現方式及び状況に応じて多様な標準技術を用いて獲得できる。
【００３４】
一方、放送番組が多様なサービスと連動し得るリンクを生成し、ユーザが最新情報を容易に検索できる環境を提供するためには、ＥＰＧ処理サーバ１００は、各放送番組に関連するコンテンツ情報に対するＲＳＳフィードを有している必要がある。従って、関連コンテンツの提供者は、各放送番組と関連したコンテンツ、例えば、製品情報、コミュニティ情報など、に対するＲＳＳフィードをＥＰＧ処理サーバ１００に登録する（Ｓ２０６）。
【００３５】
その後、ＥＰＧ処理サーバ１００は、関連コンテンツＲＳＳフィードを用いて継続的に更新される関連コンテンツ情報の提供を受けることで、リアルタイムで関連コンテンツ情報を獲得する（Ｓ２０８）。
【００３６】
次に、ＥＰＧ処理サーバ１００は、ユーザデバイス１２０の種類に適合されたユーザ固有のＥＰＧ情報を生成し、各放送番組に関連したコンテンツ情報と共にユーザに提供する（Ｓ２１０）。これにより、ユーザはＲＳＳ基盤に基づいてＥＰＧ情報及び関連コンテンツ情報をリアルタイムで提供を受けることができる。
【００３７】
図３は、本発明の実施形態によってＥＰＧ処理サーバがユーザデバイスのプロファイルに従ってユーザ固有のＥＰＧ情報を生成及び提供する過程を示すフローチャートである。
【００３８】
図３を参照すれば、ユーザは自身のデバイス１２０、例えば、携帯電話を用いてネットワークを介してＥＰＧ処理サーバ１００に接続し（Ｓ３００）、選択情報、例えば放送番組のタイトル又はジャンルなどの情報、をＥＰＧ処理サーバ１００に提供する（Ｓ３０２）。
【００３９】
これにより、ＥＰＧ処理サーバ１００のＥＰＧ主処理器１０２は、ユーザによって提供された選択情報に対応するＥＰＧ情報をデータ格納手段１０４で検索した後（Ｓ３０４）、検索されたＥＰＧ情報を関連コンテンツ情報と共にデバイスＵＩ処理器１０６に提供する。
【００４０】
次に、デバイスＵＩ処理器１０６は、ユーザ固有のＥＰＧ情報の生成を要請したユーザデバイス１２０のプロファイル情報、即ち、携帯電話のプロファイル情報、をデバイスプロファイルＤＢ１０８で検索する（Ｓ３０６）。
【００４１】
デバイスＵＩ処理器１０６は、ＥＰＧ主処理器１０２から提供を受けたＥＰＧ情報と関連コンテンツ情報とをプロファイル情報を用いて変換することで、ユーザ固有のＥＰＧ情報を生成する（Ｓ３０８）。そして、デバイスＵＩ処理器１０６は、このユーザ固有のＥＰＧ情報をユーザデバイス１２０に提供する（Ｓ３１０）。
【００４２】
本発明によれば、放送番組及び各放送番組に関連した関連コンテンツ情報のＥＰＧ情報を、ＲＳＳフィードを用いて獲得し、デバイスプロファイルに従ってユーザ固有のＥＰＧ情報に変換する。そして、このユーザ固有のＥＰＧ情報をユーザに提供する。ＲＳＳフィードを用いて情報を獲得することで、情報の分類及び処理を容易にできるだけでなく、ユーザにはより便利な使用環境を提供することができる。
【００４３】
本発明は上述した特定の実施形態に限定されず、請求範囲で請求する本発明の要旨から逸脱することなく、当該発明の属する技術分野において通常の知識を有する者であれば、誰でも多様な変形実施が可能であるのはもちろんであり、そのような変更は請求範囲の記載の範囲内に属する。
【図１】
2010512095.tif 000003
【図２】
2010512095.tif 000004
【図３】
2010512095.tif 000005
【国際調査報告】
2010512095.tif 000006
2010512095.tif 000007